(57)【要約】【課題】  広告情報を簡易に作製し配信することができるナビゲーションシステムを提供する。【解決手段】  本発明のナビゲーションシステムは、所定の、例えば店名と所在地とＰＲ文をテキスト入力して広告登録サーバへ送信すると、入力内容に適する音声広告の雛型を用いて店名とＰＲ文を音声合成して音声広告を作成する。また、文字広告も合成する。そして、所在地を基に、広告を配信する位置を特定する。ナビゲーション装置を搭載した車両が当該配信する位置にさしかかると、音声広告と文字広告を広告送信サーバからナビゲーション装置に配信し、ナビゲーション装置は当該音声広告と文字広告を再生・表示させる。【選択図】図１８
2009047793.tif 000002
【特許請求の範囲】
【請求項１】
端末装置から要求を受け付けて広告情報を蓄積する広告登録サーバであって、
前記端末装置からの要求を受け付ける要求受付部と、
前記要求受付部で受け付けた前記要求に含まれる情報を音声合成して音声広告を前記広告情報として作成する広告作成部と、
前記要求受付部で受け付けた前記要求に含まれる情報から、前記広告情報を再生する地理的位置を特定して記憶する広告登録部と、
を備えることを特徴とする広告登録サーバ。
【請求項２】
請求項１に記載の広告登録サーバであって、
前記広告作成部は、
前記要求受付部で受け付けた前記要求に含まれる情報から広告情報の雛型を特定し、前記要求に含まれる情報を音声情報に変換して前記雛型と音声合成して音声広告を広告情報として作成する、
ことを特徴とする広告登録サーバ。
【請求項３】
請求項１または請求項２に記載の広告登録サーバであって、
前記広告作成部は、
前記要求受付部で受け付けた前記要求に含まれる情報として、広告対象の名称を用いる、
ことを特徴とする広告登録サーバ。
【請求項４】
請求項１に記載の広告登録サーバであって、
前記要求受付部で受け付けた前記要求に含まれる情報は、少なくとも広告の対象の所在地である、
ことを特徴とする広告登録サーバ。
【請求項５】
請求項４に記載の広告登録サーバであって、
前記広告情報を再生する地理的位置を特定する情報は、広告対象の所在地から所定の距離内にある道路のリンクＩＤである、
ことを特徴とする広告登録サーバ。
【請求項６】
端末装置から要求を受け付けて広告情報を蓄積し、広告情報を要求する他の装置に対して前記広告情報を送信する広告登録サーバであって、
前記端末装置からの要求を受け付ける要求受付部と、
前記要求受付部で受け付けた前記要求に含まれる情報を音声合成して音声広告を前記広告情報として作成する広告作成部と、
前記要求受付部で受け付けた前記要求に含まれる情報から、前記広告情報を再生する地理的位置を特定して記憶する広告登録部と、
前記他の装置からの要求に含まれる地理的位置の情報と、前記広告登録部により記憶された前記音声広告を再生する地理的位置の情報と、が一致する場合に、前記他の装置に対して前記広告情報を送信する広告送信部と、
を備えることを特徴とする広告登録サーバ。
【請求項７】
請求項６に記載の広告登録サーバであって、
前記他の装置は、ナビゲーション装置に対して前記広告情報を送信するサーバである、
ことを特徴とする広告登録サーバ。
【請求項８】
ナビゲーション装置からの要求に応答して、前記ナビゲーション装置に対して広告情報を送信する広告送信サーバであって、
前記広告情報ごとに前記広告情報を再生する地理的位置を記憶した記憶部を備え、
前記ナビゲーション装置からの要求を受け付ける要求受付部と、
前記要求受付部で受け付けた前記要求に含まれる前記ナビゲーション装置の地理的位置の情報と、前記記憶部の前記広告情報を再生する前記地理的位置と、が一致する場合に、前記ナビゲーション装置に対して該当する前記広告情報を送信する広告送信部と、
を備えることを特徴とする広告送信サーバ。
【請求項９】
請求項８に記載の広告送信サーバであって、
前記要求受付部で受け付けた前記要求に含まれる前記ナビゲーション装置の地理的位置の情報は、道路のリンクＩＤであり、前記記憶部の前記広告情報を再生する前記地理的位置の情報は、道路のリンクＩＤである、
ことを特徴とする広告送信サーバ。
【請求項１０】
ナビゲーション装置からの要求に応答して、前記ナビゲーション装置に対して広告情報を送信する広告送信サーバであって、
前記ナビゲーション装置からの要求を受け付ける要求受付部と、
前記要求受付部で受け付けた前記要求に含まれる前記ナビゲーション装置の地理的位置の情報を他のサーバに送信し、前記他のサーバから返信された広告情報を受信する広告情報取得部と、
前記ナビゲーション装置に対して前記広告情報を送信する広告送信部と、
を備えることを特徴とする広告送信サーバ。
【請求項１１】
端末装置から登録要求を受け付けて広告情報を蓄積し、ナビゲーション装置からの要求に応答して、前記ナビゲーション装置に対して広告情報を送信する広告送信サーバであって、
前記端末装置から前記登録要求を受け付ける登録要求受付部と、
前記登録要求に含まれる情報を音声合成して音声広告を前記広告情報として作成する広告作成部と、
前記登録要求に含まれる情報から、前記広告情報を再生する地理的位置を特定して記憶する広告登録部と、
前記ナビゲーション装置からの要求を受け付ける要求受付部と、
前記要求受付部で受け付けた前記要求に含まれる前記ナビゲーション装置の地理的位置の情報と、前記広告登録部で記憶した前記広告情報を再生する前記地理的位置と、が一致する場合に、前記ナビゲーション装置に対して該当する前記広告情報を送信する広告送信部と、
を備えることを特徴とする広告送信サーバ。
【請求項１２】
ナビゲーション装置であって、
他の装置からの要求に応答して広告情報を送信する広告送信サーバに対して要求を送信する広告要求部と、
前記広告送信サーバからの応答である広告情報に含まれる再生位置と、ナビゲーション装置の現在位置との一致を判定し、一致する広告情報を再生する広告再生部と、
を備えることを特徴とするナビゲーション装置。
【請求項１３】
請求項１２に記載のナビゲーション装置であって、
前記広告再生部が再生する広告情報は、
少なくとも音声広告を含む、
ことを特徴とするナビゲーション装置。
【請求項１４】
請求項１２に記載のナビゲーション装置であって、
前記広告要求部が送信する要求には、
前記ナビゲーション装置が存在する道路のリンクＩＤを含む、
ことを特徴とするナビゲーション装置。
【請求項１５】
請求項１２に記載のナビゲーション装置であって、
前記広告要求部が送信する要求には、
前記ナビゲーション装置が案内する経路を構成する複数の道路のリンクＩＤを含むことができ、
前記広告送信サーバからの応答である広告情報には、複数の道路のリンクＩＤに対応する複数の広告情報が含まれうる、
ことを特徴とするナビゲーション装置。
【請求項１６】
端末装置から登録要求を受け付けて広告情報を蓄積する広告登録サーバと、
ナビゲーション装置と、
前記ナビゲーション装置からの要求に応答して、前記ナビゲーション装置に対して広告情報を送信する広告送信サーバと、
を有して構成されるナビゲーションシステムであって、
前記広告登録サーバは、
前記端末装置からの前記登録要求を受け付ける登録要求受付部と、
前記登録要求受付部で受け付けた前記登録要求に含まれる情報を音声合成して音声広告を前記広告情報として作成する広告作成部と、
前記登録要求受付部で受け付けた前記登録要求に含まれる情報から、前記広告情報を再生する地理的位置を特定して記憶する広告登録部と、
前記広告送信サーバからの要求に含まれる地理的位置の情報と、前記広告登録部により記憶された前記音声広告を再生する地理的位置の情報と、が一致する場合に、前記広告送信サーバに対して前記広告情報を送信する広告送信部と、
を備え、
前記ナビゲーション装置は、
前記広告送信サーバに対して広告取得要求を送信する広告要求部と、
前記広告送信サーバからの応答である広告情報に含まれる再生位置と、ナビゲーション装置の現在位置との一致を判定し、一致する広告情報を再生する広告再生部と、
を備え、
前記広告送信サーバは、
前記ナビゲーション装置からの広告取得要求を受け付ける要求受付部と、
前記要求受付部で受け付けた前記広告取得要求に含まれる前記ナビゲーション装置の地理的位置の情報を前記広告登録サーバに送信し、前記広告登録サーバから返信された前記広告情報を受信する広告情報取得部と、
前記ナビゲーション装置に対して前記広告情報を送信する広告送信部と、
を備える、
ことを特徴とするナビゲーションシステム。
【請求項１７】
端末装置から登録要求を受け付けて広告情報を蓄積する広告登録サーバと、
ナビゲーション装置と、
前記ナビゲーション装置からの要求に応答して、前記ナビゲーション装置に対して広告情報を送信する広告送信サーバと、
を有して構成されるナビゲーションシステムのナビゲーション方法であって、
前記広告登録サーバが、
前記端末装置からの前記登録要求を受け付ける登録要求受付ステップと、
前記登録要求受付ステップで受け付けた前記登録要求に含まれる情報を音声合成して音声広告を前記広告情報として作成する広告作成ステップと、
前記登録要求受付ステップで受け付けた前記登録要求に含まれる情報から、前記広告情報を再生する地理的位置を特定して記憶する広告登録ステップと、
を実行し、
前記ナビゲーション装置が、
前記広告送信サーバに対して広告取得要求を送信する広告要求ステップ、
を実行し、
前記広告送信サーバが、
前記ナビゲーション装置からの広告取得要求を受け付ける要求受付ステップと、
前記要求受付ステップで受け付けた前記広告取得要求に含まれる前記ナビゲーション装置の地理的位置の情報を前記広告登録サーバに送信するステップと、
を実行し、
前記広告登録サーバが、
前記広告送信サーバからの要求に含まれる地理的位置の情報と、前記広告登録ステップにより記憶された前記音声広告を再生する地理的位置の情報と、が一致する場合に、前記広告送信サーバに対して前記広告情報を送信する広告送信ステップと、
を実行し、
前記広告送信サーバが、
前記広告登録サーバから送信された前記広告情報を受信する広告情報取得ステップと、
前記ナビゲーション装置に対して前記広告情報を送信する広告送信ステップと、
を実行し、
前記ナビゲーション装置が、
前記広告送信サーバからの応答である広告情報に含まれる再生位置と、ナビゲーション装置の現在位置との一致を判定し、一致する広告情報を再生する広告再生ステップと、
を実行する、
ことを特徴とするナビゲーション方法。
【発明の詳細な説明】
【技術分野】
【０００１】
本発明は、ナビゲーション技術に関するものである。
【背景技術】
【０００２】
従来、ナビゲーション技術において、ナビゲーション装置に対して広告情報を配信する技術として、使用者の潜在ニーズに合うような広告を提供するものがある。例えば、特許文献１に記載されているように、使用者が目的地として検索した施設の履歴から、検索回数の多いジャンルを特定し、このジャンルに関する広告や周辺情報を重点的にサーバ装置から情報提供するナビゲーション技術がある。
【０００３】
【特許文献１】特開２００４−２０１１４９号公報
【発明の開示】
【発明が解決しようとする課題】
【０００４】
上記のようなナビゲーション技術は、広告情報を配信する際にその対象を使用者にあわせて絞り込むことが可能である。その前提として、十分な数の広告情報を確保する必要がある。
【０００５】
しかし、広告情報を提供するためには、一般に、広告を行う者が広告情報を作り、そしてその広告を周知させる手間がかかるなど、広告主の負担が大きくなりがちである。そのため、事業規模の小さい事業者にとっては、広告情報を提供することは容易ではない。
【０００６】
つまり、特許文献１に記載されたナビゲーション技術では、簡易に広告情報を提供したい、という広告主のニーズに答えることができない。
【０００７】
また、例えば飲食店などの小規模な店舗の広告情報を運転者に伝える方法としては、従来どおり、道路に沿った広告看板を用いる方法があるが、これも、看板の準備と管理を広告主が負担せねばならない。
【０００８】
本発明の目的は、広告を簡易に作製し配信することができるナビゲーション技術を提供することにある。
【課題を解決するための手段】
【０００９】
上記課題を解決すべく、本発明のナビゲーションシステムは、入力された簡単な様式情報から、音声広告を作成し、所定の位置にあるナビゲーション装置にてその音声広告を再生する手段を備える。
【００１０】
例えば、本発明の広告登録サーバは、端末装置から要求を受け付けて広告情報を蓄積する広告登録サーバであって、前記端末装置からの要求を受け付ける要求受付部と、前記要求受付部で受け付けた前記要求に含まれる情報を音声合成して音声広告を前記広告情報として作成する広告作成部と、前記要求受付部で受け付けた前記要求に含まれる情報から、前記広告情報を再生する地理的位置を特定して記憶する広告登録部と、を備えることを特徴とする。
【００１１】
また例えば、本発明の広告送信サーバは、ナビゲーション装置からの要求に応答して、前記ナビゲーション装置に対して広告情報を送信する広告送信サーバであって、前記広告情報ごとに前記広告情報を再生する地理的位置を記憶した記憶部を備え、前記ナビゲーション装置からの要求を受け付ける要求受付部と、前記要求受付部で受け付けた前記要求に含まれる前記ナビゲーション装置の地理的位置の情報と、前記記憶部の前記広告情報を再生する前記地理的位置と、が一致する場合に、前記ナビゲーション装置に対して該当する前記広告情報を送信する広告送信部と、を備えることを特徴とする。
【００１２】
またさらに、本発明のナビゲーション装置は、他の装置からの要求に応答して広告情報を送信する広告送信サーバに対して要求を送信する広告要求部と、前記広告送信サーバからの応答である広告情報に含まれる再生位置と、ナビゲーション装置の現在位置との一致を判定し、一致する広告情報を再生する広告再生部と、を備えることを特徴とする。
【００１３】
そして、さらに、本発明のナビゲーションシステムは、端末装置から登録要求を受け付けて広告情報を蓄積する広告登録サーバと、ナビゲーション装置と、前記ナビゲーション装置からの要求に応答して、前記ナビゲーション装置に対して広告情報を送信する広告送信サーバと、を有して構成されるナビゲーションシステムであって、前記広告登録サーバは、前記端末装置からの前記登録要求を受け付ける登録要求受付部と、前記登録要求受付部で受け付けた前記登録要求に含まれる情報を音声合成して音声広告を前記広告情報として作成する広告作成部と、前記登録要求受付部で受け付けた前記登録要求に含まれる情報から、前記広告情報を再生する地理的位置を特定して記憶する広告登録部と、前記広告送信サーバからの要求に含まれる地理的位置の情報と、前記広告登録部により記憶された前記音声広告を再生する地理的位置の情報と、が一致する場合に、前記広告送信サーバに対して前記広告情報を送信する広告送信部と、を備え、前記ナビゲーション装置は、前記広告送信サーバに対して広告取得要求を送信する広告要求部と、前記広告送信サーバからの応答である広告情報に含まれる再生位置と、ナビゲーション装置の現在位置との一致を判定し、一致する広告情報を再生する広告再生部と、を備え、前記広告送信サーバは、前記ナビゲーション装置からの広告取得要求を受け付ける要求受付部と、前記要求受付部で受け付けた前記広告取得要求に含まれる前記ナビゲーション装置の地理的位置の情報を前記広告登録サーバに送信し、前記広告登録サーバから返信された前記広告情報を受信する広告情報取得部と、前記ナビゲーション装置に対して前記広告情報を送信する広告送信部と、を備える、ことを特徴とする。
【００１４】
また、さらに、本発明のナビゲーション方法は、端末装置から登録要求を受け付けて広告情報を蓄積する広告登録サーバと、ナビゲーション装置と、前記ナビゲーション装置からの要求に応答して、前記ナビゲーション装置に対して広告情報を送信する広告送信サーバと、を有して構成されるナビゲーションシステムのナビゲーション方法であって、前記広告登録サーバが、前記端末装置からの前記登録要求を受け付ける登録要求受付ステップと、前記登録要求受付ステップで受け付けた前記登録要求に含まれる情報を音声合成して音声広告を前記広告情報として作成する広告作成ステップと、前記登録要求受付ステップで受け付けた前記登録要求に含まれる情報から、前記広告情報を再生する地理的位置を特定して記憶する広告登録ステップと、を実行し、前記ナビゲーション装置が、前記広告送信サーバに対して広告取得要求を送信する広告要求ステップ、を実行し、前記広告送信サーバが、前記ナビゲーション装置からの広告取得要求を受け付ける要求受付ステップと、前記要求受付ステップで受け付けた前記広告取得要求に含まれる前記ナビゲーション装置の地理的位置の情報を前記広告登録サーバに送信するステップと、を実行し、前記広告登録サーバが、前記広告送信サーバからの要求に含まれる地理的位置の情報と、前記広告登録ステップにより記憶された前記音声広告を再生する地理的位置の情報と、が一致する場合に、前記広告送信サーバに対して前記広告情報を送信する広告送信ステップと、を実行し、前記広告送信サーバが、前記広告登録サーバから送信された前記広告情報を受信する広告情報取得ステップと、前記ナビゲーション装置に対して前記広告情報を送信する広告送信ステップと、を実行し、前記ナビゲーション装置が、前記広告送信サーバからの応答である広告情報に含まれる再生位置と、ナビゲーション装置の現在位置との一致を判定し、一致する広告情報を再生する広告再生ステップと、を実行する、ことを特徴とする。
【発明を実施するための最良の形態】
【００１５】
以下に、本発明の一実施形態について、図面を参照して説明する。
【００１６】
図１は、本発明の一実施形態が適用されたナビゲーションシステム１０００の概略構成図である。図示するように、ナビゲーションシステム１０００は、運転者およびその同乗者などの使用者が使用するナビゲーション装置１００と、第一のネットワーク５０１を介してナビゲーション装置１００に接続し、広告情報を送受信する広告送信サーバ２００と、第二のネットワーク５０２を介して広告送信サーバ２００に接続し、広告情報を送受信する広告登録サーバ３００と、第三のネットワーク５０３を介して広告登録サーバ３００に接続し、広告情報の入力を送信する端末装置４００と、を有して構成される。
【００１７】
ここで、第一のネットワーク５０１は、例えば、携帯電話網などの無線通信網であり、もちろん、ＰＨＳ網や無線ＬＡＮなどであっても良い。
【００１８】
第二のネットワーク５０２は、例えば、インターネットなどの公衆網であり、もちろんＬＡＮやＷＡＮなどであっても良い。
【００１９】
第三のネットワーク５０３は、例えば、インターネットや携帯電話網などの公衆網であり、もちろんＬＡＮやＷＡＮなどであっても良い。
【００２０】
図２は、ナビゲーション装置１００の概略構成図である。図示するように、ナビゲーション装置１００は、演算処理部１と、ディスプレイ部２と、記憶装置３と、音声入出力装置４と、入力装置５と、車速センサ６と、ジャイロセンサ７と、ＧＰＳ(Global Positioning System)受信装置８と、ＦＭ多重放送受信装置９と、ビーコン受信装置１０と、通信装置１１と、を備えている。
【００２１】
演算処理部１は、様々な処理を行う中心的ユニットである。例えば各種センサ６,７やＧＰＳ受信装置８から出力される情報を基にして現在地を検出する。また、得られた現在地情報に基づいて、表示に必要な地図データを記憶装置３から読み出す。また、読み出した地図データをグラフィックス展開し、そこに現在地を示すマークを重ねてディスプレイ部２へ表示する。また、記憶装置３に記憶されている地図データを用いて、使用者から指示された出発地（現在地）と目的地とを結ぶ最適な経路（推奨経路）を探索する。また、音声入出力装置４やディスプレイ１２を用いて使用者を誘導する。
【００２２】
ディスプレイ部２は、演算処理部１で生成されたグラフィックス情報を表示するユニットであり、ディスプレイ１２と、タッチ入力検出装置１３とを備える。ディスプレイ１２は、ＣＲＴや液晶ディスプレイなどで構成される。
【００２３】
タッチ入力検出装置１３は、ディスプレイ１２の表示側面に搭載され、表示画面を透過するいわゆるタッチパネルである。タッチ入力検出装置１３は、ディスプレイ１２に表示された画像のＸＹ座標と対応したタッチ位置を特定し、タッチ位置を座標に変換して出力する。タッチ入力検出装置１３は、感圧式または静電式の入力検出素子などにより構成される。
【００２４】
記憶装置３は、ＣＤ-ＲＯＭやＤＶＤ-ＲＯＭやＨＤＤ（Hard Disk Drive）やＩＣカードといった、少なくとも読み取りが可能な記憶媒体で構成されている。この記憶媒体には、地図データ６００が記憶されている。
【００２５】
図３は、地図データ６００の構成を示す図である。地図データ６００は、地図上の区画された領域であるメッシュの識別コード（メッシュＩＤ）６１１ごとに、そのメッシュ領域に含まれる道路を構成する各リンクのリンクデータ６２０を含んでいる。
【００２６】
リンクデータ６２０は、リンクＩＤ６２１ごとに、リンクを構成する２つのノード（開始ノード、終了ノード）の座標情報６２２、リンクを含む道路の種別情報６２３、リンクの長さを示すリンク長情報６２４、リンク旅行時間６２５、２つのノードにそれぞれ接続するリンクのリンクＩＤ（接続リンクＩＤ）６２６、リンクに含まれる車線の数を示す車線数６２７などを含んでいる。なお、ここでは、リンクを構成する２つのノードについて開始ノードと終了ノードとを区別することで、同じ道路の上り方向と下り方向とを、それぞれ別のリンクとして管理するようにしている。なお、リンク旅行時間６２５は、日時、天気などの条件ごとに対応付けられたリンク旅行時間であってもよい。
【００２７】
図２に戻って説明する。音声入出力装置４は、演算処理部１で生成した使用者へのメッセージを音声信号に変換し出力する。また、使用者が発した声を認識し演算処理部１にその内容を転送する処理を行う。
【００２８】
入力装置５は、使用者からの指示を受け付けるユニットである。入力装置５は、スクロールキー、縮尺変更キーなどのハードスイッチ、ジョイスティックなどで構成される。
【００２９】
車速センサ６,ジャイロセンサ７およびＧＰＳ受信装置８は、ナビゲーション装置１００で現在地（自車位置）を検出するために使用されるものである。車速センサ６は、所定の期間内の車輪の回転数と車輪周長から走行距離を算出し、走行距離を所定の期間で割ることにより車両の走行速度を算出し、さらに対となる車輪の回転数の差から移動体が曲がった角度を計測するものである。ジャイロ７は、光ファイバジャイロや振動ジャイロ等で構成され、移動体が回転した角度を検出するものである。ＧＰＳ受信装置８は、ＧＰＳ衛星からの信号を受信し移動体とＧＰＳ衛星間の距離と距離の変化率を３個以上の衛星に対して測定することで移動体の現在位置、進行速度および進行方位を測定する。
【００３０】
ＦＭ多重放送受信装置９は、ＦＭ多重放送信号としてＶＩＣＳ情報などのＦＭ多重放送局から送られてくる概略現況交通情報、規制情報、ＳＡ／ＰＡ（サービスエリア／パーキングエリア）情報、駐車場情報、天気情報などを受信する。
【００３１】
ビーコン受信装置１０は、ＶＩＣＳ（登録商標、Vehicle Information and Communication System）などのビーコン装置から送られてくる現況交通情報、規制情報、ＳＡ／ＰＡ情報、駐車場情報などを受信する。
【００３２】
通信装置１１は、例えば携帯電話網などの無線通信網に接続し、通信を行うためのユニットである。とくに、第一のネットワーク５０１に接続することができるユニットである。
【００３３】
図４は、演算処理部１の機能ブロック図である。
【００３４】
図示するように、演算処理部１は、主制御部１０１と、広告情報取得部１０２と、広告情報再生部１０３と、経路探索部１０４と、入力受付部１０５と、経路誘導部１０６と、表示処理部１０７と、を有する。
【００３５】
主制御部１０１は、様々な処理を行う中心的な機能部であり、処理内容に応じて、他の処理部を制御する。また、主制御部１０１は、ナビゲーション装置１００の本来の基本動作であるナビゲーション処理（例えば、交通情報の表示、現在位置の表示、経路探索、経路誘導等）を実施する。さらに、各処理部からの要求に応じて、現在時刻を出力する。
【００３６】
広告情報取得部１０２は、通信装置１１などを介して広告情報を取得し、後述するＲＡＭ（Random Access Memory）２２などの書き込み可能な記憶領域に広告表示情報７３０として格納し、要求に応じていつでも取り出せるようにする。
【００３７】
例えば、広告情報取得部１０２は、車両の現在位置を主制御部１０１に要求して取得し、取得した車両の現在位置を、通信装置１１を介して広告送信サーバ２００に送信する。また、広告送信サーバ２００から広告情報を受信し、広告表示情報７３０に格納する。ここで、広告情報は、例えば、店名と、ＰＲ情報と、音声広告データと、再生位置とを含む情報である。
【００３８】
図５は、広告表示情報７３０の構成を示す図である。広告表示情報７３０は、各レコード７３５に再生位置７３１と、音声広告データ７３２と、店名７３３と、ＰＲ情報７３４と、の情報を含む。再生位置７３１は、そのレコードに含まれる広告を再生する場所（道路）を示すリンクＩＤに関する情報である。音声広告データ７３２は、再生する音声広告に関する情報である。具体的には例えば、音声により広告を行う音声データである。店名７３３とＰＲ情報７３４は、再生する文字形式の広告に関する情報である。
【００３９】
広告情報取得部１０２は、広告送信サーバ２００から広告情報を取得し、広告情報に含まれる店名、ＰＲ情報、音声広告データおよび再生位置をそれぞれ、店名７３３、ＰＲ情報７３４、音声広告データ７３２および再生位置７３１として格納する。
【００４０】
広告情報再生部１０３は、車両の現在位置と、広告表示情報７３０の再生位置７３１に示される道路と、が一致すると判定すると、その一致する広告表示情報７３０の音声広告データ７３２を音声入出力装置４から出力し、店名７３３とＰＲ情報７３４を後述する表示処理部１０７に出力依頼し、ディスプレイ１２に画面表示する。
【００４１】
経路探索部１０４は、ダイクストラ法等を用いて、指定された２地点（現在地、目的地）間を結ぶ経路を所定の地点（ノード）を結ぶ道路（リンク）をリンクコスト（例えば、距離や旅行時間）に換算して、経路上の総コストが他の経路に対して最少となる経路を探索する。
【００４２】
入力受付部１０５は、入力装置５に入力された使用者からの要求を受け、その要求内容を解析して、その要求内容に対応する処理が実行されるように演算処理部１の各部を制御する。例えば、使入力受付部１０５は、用者が推奨経路の探索を要求したときは、目的地を設定するため、地図をディスプレイ１２に表示する処理を表示処理部１０７に要求する。また、現在地（出発地）から目的地までの経路を演算する処理を経路探索部１０４に要求する。
【００４３】
経路誘導部１０６は、経路探索部１０４で探索された経路を用いて経路誘導を行う。例えば、経路の情報と、現在地の情報とを比較し、交差点等を通過する前に直進すべきか、右左折すべきかを音声出入力装置４を用いて音声で使用者に知らせる。また、経路誘導部１０６は、ディスプレイ１２に表示された地図上に進行すべき方向を表示して、使用者に推奨経路を通知する。
【００４４】
表示処理部１０７は、ディスプレイ１２への表示が要求される領域にある地図データを記憶装置３から受け取り、指定された縮尺、描画方式で、道路、その他の地図構成物や、現在地、目的地、推奨経路のための矢印といったマークを描画するように地図描画コマンドを生成する。そして、生成したコマンドを、ディスプレイ１２に送信する。
【００４５】
図６は、演算処理部１のハードウェア構成例を示す図である。
【００４６】
図示するように、演算処理部１は、各デバイス間をバス３２で接続した構成としてある。演算処理部１は、数値演算及び各デバイスを制御するといった様々な処理を実行するＣＰＵ(Central Processing Unit)２１と、記憶装置３から読み出した地図データ、演算データなどを格納するＲＡＭ(Random Access Memory)２２と、プログラムやデータを格納するＲＯＭ(Read Only Memory)２３と、メモリ間およびメモリと各デバイスとの間のデータ転送を実行するＤＭＡ（Direct Memory Access）２４と、グラフィックス描画を実行し且つ表示制御を行う描画コントローラ２５と、グラフィックスイメージデータを蓄えるＶＲＡＭ(Video Random Access Memory)２６と、イメージデータをＲＧＢ信号に変換するカラーパレット２７と、アナログ信号をデジタル信号に変換するＡ/Ｄ変換器２８と、シリアル信号をバスに同期したパラレル信号に変換するＳＣＩ(Serial Communication Interface)２９と、パラレル信号をバスに同期させてバス上にのせるＰＩＯ(Parallel Input/Output)３０と、パルス信号を積分するカウンタ３１と、を有する。
【００４７】
なお、上記した演算処理部１の各機能部は、ＣＰＵ２１がＲＡＭ２２やＲＯＭ２３にロードしたプログラムを実行することにより実現される。
【００４８】
図７は、広告送信サーバ２００の概略構成図である。図示するように、広告送信サーバ２００は、要求受付部２０１と、広告情報取得部２０２と、広告情報送信部２０３と、記憶部２０６と、を備える。
【００４９】
要求受付部２０１は、ナビゲーション装置１００からの広告取得要求を受け付け、広告情報取得部２０２に引き渡す。例えば、要求受付部２０１は、ナビゲーション装置１００から、車両の現在位置が存在するリンクＩＤの情報を含む広告取得要求を受け付け、広告情報取得部２０２にそのリンクＩＤの情報を含む広告取得要求を引き渡す。
【００５０】
広告情報取得部２０２は、要求受付部２０１から引き渡された広告取得要求をもとに、第２のネットワーク５０２を介して広告登録サーバ３００に接続して広告情報を取得する。そして、取得した広告情報を、広告情報送信部２０３に引き渡す。具体的には、例えば、広告情報取得部２０２は、要求受付部２０１から引き渡された広告取得要求から、車両の現在位置が存在するリンクＩＤを切り出し、当該リンクＩＤを広告登録サーバ３００へ送信する。そして、返信された広告情報を受信して、広告情報送信部２０３に引き渡す。
【００５１】
広告情報送信部２０３は、広告情報取得部２０２から引き渡された広告情報のうちから、一部の情報をナビゲーション装置１００に返信する。具体的には、例えば、広告情報送信部２０３は、広告情報取得部２０２から引き渡された複数件の広告情報のうち、全件を対象として、店名と、ＰＲ情報と、再生位置と、広告データと、をナビゲーション装置１００へ返信する。
【００５２】
記憶部２０６は、情報を記憶する領域を備え、他の機能部からの要求に応じて情報を記憶し、取り出し、削除する機能部である。
【００５３】
図８は、広告登録サーバ３００の概略構成図である。図示するように、広告登録サーバ３００は、登録受付部３０１と、音声広告作成部３０２と、広告登録部３０３と、広告送信部３０４と、記憶部３０６と、記憶部３０６の記憶領域に記憶される企業情報記憶領域３０７と、同じく記憶部３０６の記憶領域に記憶される広告情報記憶領域３０８と、を備える。
【００５４】
図１３は、広告情報記憶領域３０８に記憶される広告情報７００の構成を示す図である。広告情報７００の各レコード７０８は、店名７０１と、ＰＲ情報７０２と、所在地７０３と、再生位置７０４と、業種７０５と、広告データ７０６と、有効日７０７と、を有して構成される。
【００５５】
店名７０１は、広告主が広告の対象とする店名である。これは、広告主の登記名称などの正式名称でもよいし、通称や略称、あるいはその他の愛称などであってもよい。ＰＲ情報７０２は、広告主が宣伝する内容を文字で表す情報である。例えば、特売情報などであってもよい。所在地７０３は、広告主の店舗の所在地に関する情報である。例えば、住所などであってもよい。再生位置７０４は、そのレコードに含まれる広告情報を再生する地図上の位置を示す情報である。例えば、所在地から所定の距離にある主要な道路をあらわすリンクのリンクＩＤであってもよい。業種７０５は、広告主が広告する店が営んでいる業種をあらわす情報である。例えば、「そば屋」でもよいし、「飲食店」等でもよい。広告データ７０６は、ＰＲ情報７０２等を基に広告を音声化した音声データ等である。有効日７０７は、そのレコードを再生することのできる期間を示す情報である。例えば、そのレコードを再生する最終日の日付等である。
【００５６】
図１４は、企業情報記憶領域３０７に記憶される業種情報７１０の構成を示す図である。業種情報７１０は、各レコード７１４に、店名７１１と、所在地７１２と、業種７１３と、を有して構成され、予め記憶されている情報である。
【００５７】
店名７１１は、企業の名称である。これは、登記名称などでもよいし、電話帳などに記載された名称でもよいし、通称や略称、あるいはその他の愛称などであってもよい。所在地７１２は、その企業の店舗の所在地に関する情報である。例えば、住所などであってもよい。業種７１３は、その企業が営んでいる業種をあらわす情報である。例えば、「そば屋」でもよいし、「飲食店」等でもよい。
【００５８】
図１５は、企業情報記憶領域３０７に記憶される広告雛型情報７２０の構成を示す図である。広告雛型情報７２０は、そのレコード７２３に、業種７２１と、雛型データ７２２と、を有して構成される。
【００５９】
広告雛型情報７２０には、業種７２１に対応して、雛型データ７２２が予め記憶される。
【００６０】
雛型データ７２２は、音声広告の雛型となるデータ、例えば、ＢＧＭ（Back Ground Music）やアナウンスの音声が記憶されたデータである。より具体的には、例えば、雛型データ７２２は、ＢＧＭやアナウンスの音声の情報と、それらを時系列に沿って組み合わせて音声広告を作るための組み合わせ情報と、広告主から入力された店名やＰＲ部分の情報を合成する位置に関する情報と、を有するデータである。この雛型データ７２２は、組み合わせ情報に従ってＢＧＭやアナウンスの音声の情報および広告主から入力された店名やＰＲ情報を音声化した情報を組み合わせることで、音声広告を作成することができる雛型である。
【００６１】
例えば、図１５の例では、業種７２１がそばである雛型データ７２２には、「うまい！」と、「思わず叫ぶうまさです。」と、店名と、ＰＲ情報と、は音声の情報であることが示されている。また、雛型データ７２２の「うまい！」の後に「思わず叫ぶうまさです。」が配される構成は、組み合わせ情報としての情報である。また、雛型データ７２２には「うまい！」と「思わず叫ぶうまさです。」の間の位置に店名の音声が配され、「思わず叫ぶうまさです。」に続く位置にＰＲ情報の音声が配される、という位置に関する情報が含まれている。
【００６２】
登録受付部３０１は、端末装置４００から、広告の情報ソースとなる情報を受信して受け付け、後述する広告登録部３０３に対して、受け付けた情報を引き渡す。具体的には、登録受付部３０１は、端末装置４００から第三のネットワーク５０３を介して広告登録要求を受け付け、これを広告登録部３０３に引き渡す。例えば、受け付けた広告登録要求には、店名と、ＰＲ情報と、所在地に関するテキスト情報が含まれ、それぞれは、広告登録部３０３に引き渡される。
【００６３】
音声広告作成部３０２は、広告情報記憶領域３０８に記憶される広告情報７００から、店名７０１と、ＰＲ情報７０２と、所在地７０３と、を取得し、これらを基に、再生位置７０４と、業種７０５と、広告データ７０６と、有効日７０７と、を作成し、広告登録部３０３に引き渡す。具体的には、音声広告作成部３０２は、広告情報記憶領域３０８に記憶される広告情報７００から、店名７０１と、ＰＲ情報７０２と、所在地７０３と、を取得すると、店名７０１を基に業種を特定し、店名７０１とＰＲ情報７０２を音声化して広告データを生成し、所在地７０３を基に所定の距離内にある道路のリンクＩＤを探し出して再生位置とし、現在の日時を基に、翌日から所定の有効期間を加えた日を有効日として広告登録部３０３に引き渡す。
【００６４】
広告登録部３０３は、登録受付部３０１から引き渡された広告の情報ソースとなる情報を分割して、広告情報記憶領域３０８に広告情報７００として再構成して記憶させる。具体的には、例えば、広告登録部３０３は、登録受付部３０１から引き渡された広告の情報ソースである店名と、ＰＲ情報と、所在地のテキスト情報と、を、それぞれ、広告情報７００の店名７０１と、ＰＲ情報７０２と、所在地７０３として広告情報記憶領域３０８に記憶させる。
【００６５】
また、広告登録部３０３は、音声広告作成部３０２の要求に従って広告情報記憶領域３０８に記憶される広告情報７００から情報を取得して提供し、音声広告作成部３０２から引き渡された情報を広告情報７００に追記する。具体的には、広告登録部３０３は、音声広告作成部３０２の要求を受けて、広告情報記憶領域３０８に記憶された広告情報７００から、店名７０１と、ＰＲ情報７０２と、所在地７０３と、を取得し、音声広告作成部３０２に返信する。そして、音声広告作成部３０２から引き渡された業種と、広告データと、再生位置と、有効日と、を、それぞれ、業種７０５、広告データ７０６と、再生位置７０４と、有効日７０７として、広告情報７００に追記する。
【００６６】
広告送信部３０４は、広告送信サーバ２００から広告提供要求を受け付け、該当する広告情報を広告情報７００から取得して広告送信サーバ２００へ返信する。具体的には、広告送信部３０４は、広告提供要求と共にリンクＩＤを受け付け、当該リンクＩＤと再生位置７０４とが一致するレコード７０８を取得し、取得したレコード７０８から、現在の日時が有効日７０７までの期間に含まれないレコードを除外して広告送信サーバ２００へ返信する。返信する情報は、店名７０１と、ＰＲ情報７０２と、所在地７０３と、再生位置７０４と、業種７０５と、広告データ７０６と、を有して構成される。
【００６７】
図９は、端末装置４００の概略構成図である。図示するように、端末装置４００は、入出力部４０１と、登録情報送信部４０２と、を備える。
【００６８】
入出力部４０１は、端末使用者からの入力を受け付け、端末使用者に対して出力を行う。例えば、入出力部４０１は、キーボードやマウスなどの入力装置からの入力を受け付け、ディスプレイやスピーカーなどへの出力を行う。
【００６９】
登録情報送信部４０２は、入出力部４０１を介して入力された広告作成のための情報ソースをもとに、第３のネットワーク５０３を介して広告登録サーバ３００に接続して広告情報を送信する。具体的には、例えば、登録情報送信部４０２は、入出力部４０１を介して入力された店名と、ＰＲ情報と、所在地と、をテキスト情報として広告登録サーバ３００へ送信する。
【００７０】
図１０から図１２までは、上記した各装置のハードウェア構成を示す図である。
【００７１】
図１０は、広告送信サーバ２００のハードウェア構成を示す図である。図示するように、広告送信サーバ２００は、例えばＣＰＵ（Central Processing Unit）などの処理装置２１１と、ＲＡＭ（Random Access Memory）２１２と、例えばＨＤＤなどのディスク装置２１３と、第一のネットワーク５０１に接続することができる第一のネットワークＩＦ（Interface）２１４と、第二のネットワーク５０２に接続することができる第二のネットワークＩＦ２１５と、を有して構成される。
【００７２】
上記した広告送信サーバ２００の各機能部である要求受付部２０１と、広告情報取得部２０２と、広告情報送信部２０３と、は、第一のネットワークＩＦ２１４を介して第一のネットワーク５０１と通信し、第二のネットワークＩＦ２１５を介して第二のネットワーク５０２と通信し、ディスク装置２１３に格納されたプログラムをＲＡＭ２１２にロードし、ＲＡＭ２１２にロードされた処理命令を処理装置２１１が実行することにより実現される。
【００７３】
図１１は、広告登録サーバ３００のハードウェア構成を示す図である。図示するように、広告登録サーバ３００は、例えばＣＰＵなどの処理装置３１１と、ＲＡＭ３１２と、例えばＨＤＤなどのディスク装置３１３と、第三のネットワーク５０３に接続することができる第一のネットワークＩＦ３１４と、第二のネットワーク５０２に接続することができる第二のネットワークＩＦ３１５と、を有して構成される。
【００７４】
上記した広告登録サーバ３００の各機能部である登録受付部３０１と、音声広告作成部３０２と、広告登録部３０３と、広告送信部３０４と、は、第一のネットワークＩＦ３１４を介して第三のネットワーク５０３と通信し、第二のネットワークＩＦ３１５を介して第二のネットワーク５０２と通信し、ディスク装置３１３に格納されたプログラムをＲＡＭ３１２にロードし、ＲＡＭ３１２にロードされた処理命令を処理装置３１１が実行することにより実現される。
【００７５】
図１２は、端末装置４００のハードウェア構成を示す図である。図示するように、端末装置４００は、例えばＣＰＵなどの処理装置４１１と、ＲＡＭ４１２と、例えばＨＤＤなどのディスク装置４１３と、キーボードやマウスなどを制御する入力装置４１４と、ディスプレイやスピーカーなどを制御する出力装置４１５と、第三のネットワーク５０３に接続することができるネットワークＩＦ４１６と、を有して構成される。
【００７６】
上記した端末装置４００の各機能部である入出力部４０１と、登録情報送信部４０２と、は、ネットワークＩＦ４１６を介して第三のネットワーク５０３と通信し、ディスク装置４１３に格納されたプログラムをＲＡＭ４１２にロードし、ＲＡＭ４１２にロードされた処理命令を処理装置４１１が実行することにより実現される。
【００７７】
［動作の説明］次に、上記構成のナビゲーションシステム１０００の動作について説明する。
【００７８】
図１６は、広告を作成し、配信の準備を行う処理である広告登録処理の流れを示すフロー図である。
【００７９】
端末装置４００の入出力部４０１は、端末装置４００の使用者から広告作成のための情報ソースの入力を受け付ける（ステップＳ１１０）。ここで入力される広告作成のための情報ソースは、店名と、ＰＲ情報と、所在地の情報を含むテキスト情報である。
【００８０】
次に、端末装置４００の登録情報送信部４０２は、ステップＳ１１０で受け付けた入力情報を広告登録サーバ３００に対して送信する（ステップＳ１１１）。
【００８１】
そして、広告登録サーバ３００の登録受付部３０１は、ステップＳ１１１で広告登録サーバ３００に対して送信された入力情報を受け付けて、記憶部３０６の広告情報記憶領域３０８に、広告情報７００としてその入力情報を記憶する（ステップＳ１１２）。具体的には、登録受付部３０１は、端末装置４００から送信された入力情報のうち、店名、ＰＲ情報および所在地をそれぞれ、広告情報７００の店名７０１、ＰＲ情報７０２および所在地７０３、として記憶する。
【００８２】
次に、広告登録サーバ３００の音声広告作成部３０２は、ステップＳ１１２で記憶した広告情報７００のうち、店名とＰＲ情報を基として、音声合成を行い、それぞれの音声データを取得する（ステップＳ１１３）。具体的には、音声広告作成部３０２は、記憶部３０６の広告情報記憶領域３０８に記憶された広告情報７００から、店名７０１と、ＰＲ情報７０２とを取得する。そして、それぞれに対して、例えばＴＴＳ（Text To Speech）変換を行うことで、音声合成を行う。
【００８３】
次に、広告登録サーバ３００の音声広告作成部３０２は、店名を基に、その業種を特定し、業種ごとの所定の雛型データを特定して、その雛型データとステップＳ１１３で取得した音声データとを合成する。そして、音声広告作成部３０２は、合成した音声データを広告データとして広告情報記憶領域に記憶する（ステップＳ１１４）。より具体的には、音声広告作成部３０２は、ステップＳ１１２で記憶した広告情報７００のうち、店名７０１と、所在地７０３と、を取得する。そして、音声広告作成部３０２は、記憶部３０６の企業情報記憶領域３０７に格納された業種情報７１０を検索して、店名７０１と店名７１１が一致し、所在地７０３と所在地７１２が一致するレコードを特定し、その業種７１３を取得する。次に、音声広告作成部３０２は、その業種７１３と一致する広告雛型情報７２０の業種７２１のレコードを特定し、その雛型データ７２２を取得する。そして、音声広告作成部３０２は、雛型データ７２２を基に、ステップＳ１１３で取得した音声データを合成し、合成したデータを広告データとして、広告情報７００の広告データ７０６に記憶する。この音声データの合成は、より具体的には、音声広告作成部３０２は、時系列に沿って組み合わせて音声広告を作るための組み合わせ情報に従ってＢＧＭやアナウンスの音声の情報、および広告主から入力された店名やＰＲ部分の情報を音声に変換した情報の存在を確認する。そして、それらの情報を組み合わせ情報に従って組み合わせ、一連の音声広告として作成してもよい。そして、音声広告作成部３０２は、その特定した業種を広告情報７００の業種７０５として記憶する。
【００８４】
次に、広告登録サーバ３００の広告登録部３０３は、所在地から所定範囲内の地理的位置を再生位置として特定し、その再生位置を広告情報記憶領域３０８に記憶する（ステップＳ１１５）。具体的には、広告登録部３０３は、ステップＳ１１２で記憶した広告情報７００のうち、所在地７０３を取得する。そして、その所在地から所定の距離（例えば、８００ｍ）にある道路上の地点が属するリンクのリンクＩＤを特定し、特定したリンクＩＤを広告情報７００の再生位置７０４として記憶する。
【００８５】
次に、広告登録サーバ３００の広告登録部３０３は、当該処理を行う時の属する日の翌日から起算して所定の期間を有効期間とし、その期間の満了する日を有効日として広告情報記憶領域３０８に記憶する（ステップＳ１１６）。具体的には、広告登録部３０３は、処理時点での時刻を取得して、例えばその翌日から起算して３０日の期間を有効期間として、その満了日を算出する。そして、その満了日を広告情報７００の有効日７０７として記憶する。
【００８６】
以上が、広告登録処理である。
【００８７】
図１７は、登録された広告を配信し、ナビゲーション装置１００に表示する処理である広告配信処理の流れを示すフロー図である。
【００８８】
ナビゲーション装置１００の広告情報取得部１０２は、主制御部１０１に対して、車両の現在位置が属する道路のリンクＩＤを問い合わせ、リンクＩＤを取得する。そして、取得したリンクＩＤを付属させて、広告送信サーバ２００に広告情報を要求する（ステップＳ２１０）。
【００８９】
次に、広告送信サーバ２００の要求受付部２０１は、ナビゲーション装置１００からの要求を受け付け、その要求とともに送信されたリンクＩＤを受け取る（ステップＳ２１１）。
【００９０】
次に、広告送信サーバ２００の広告情報取得部２０２は、広告登録サーバ３００に対して、当該リンクＩＤを付属させて広告情報を要求する（ステップＳ２１２）。
【００９１】
次に、広告登録サーバ３００の広告送信部３０４は、広告送信サーバ２００からの要求を受け付け、その要求と共に送信されたリンクＩＤを受け取る。そして、広告送信部３０４は、記憶部３０６の広告情報記憶領域３０８の広告情報７００を検索し、再生位置７０４が受け取ったリンクＩＤと一致するデータを特定する（ステップＳ２１３）。
【００９２】
次に、広告登録サーバ３００の広告送信部３０４は、ステップＳ２１３で特定した広告情報７００のデータのうち、現在日時が有効日７０７を経過していないものをさらに選出する。そして、選出したデータの店名７０１と、ＰＲ情報７０２と、所在地７０３と、再生位置７０４と、業種７０５と、広告データ７０６と、を広告送信サーバ２００へ送信する（ステップＳ２１４）。
【００９３】
そして、広告送信サーバ２００の広告情報送信部２０３は、ステップＳ２１４で送信された店名と、ＰＲ情報と、再生位置と、所在地と、業種と、広告データと、を含むデータを受信する。広告情報送信部２０３は、受信したデータの店名と、ＰＲ情報と、所在地と、再生位置と、業種と、広告データと、をナビゲーション装置１００に対して送信する（ステップＳ２１５）。
【００９４】
次に、ナビゲーション装置１００の広告情報取得部１０２は、ステップＳ２１５で送信された店名と、ＰＲ情報と、所在地と、再生位置と、業種と、広告データと、を含むデータを受信する。そして受信したデータからそれぞれ、店名を店名７３３、ＰＲ情報をＰＲ情報７３４、再生位置を再生位置７３１、広告データを広告データ７３２として広告表示情報７３０に記憶する。そして、広告情報再生部１０３は、この広告表示情報７３０の中から、店名７３３をキーとして５０音順に並べなおし、その順に広告データ７３２を取り出し、主制御部１０１に依頼して音声入出力装置４を介して音声出力する。そして音声出力中に、広告情報再生部１０３は、その店名７３３とＰＲ情報７３４とを含む文字広告を、表示処理部１０７を介してディスプレイ部２に表示させる（ステップＳ２１６）。
【００９５】
以上が、広告配信処理である。
【００９６】
次に、図１８を用いて、上記広告配信処理によりディスプレイ１２に表示され、音声出力される広告の具体例を説明する。
【００９７】
図１８（ａ）は、ナビゲーション装置１００の広告情報再生部１０３が、表示処理部１０７を介してディスプレイ１２に表示させる画面の例を示す。ナビゲーション装置１００の表示処理部１０７は、ディスプレイ１２上に、画面１６を表示する。画面１６の下方には、車両の現在位置と向きを示すカーマーク４１を表示し、画面１６の右方に文字広告情報４０を表示する。文字広告情報４０は、最上段に所定の距離表示が配置され、中段に店名表示が配置され、下段にＰＲ情報表示が配置される。広告情報再生部１０３は、この文字広告情報４０を表示させると同時に、図１８（ｄ）に示す内容、つまり「うまい！  そば処あなたのそば  思わず叫ぶうまさです。おいしい蕎麦はあなたのすぐそば」という広告データについて、音声入出力装置４を介して出力する。なお、この例では、図１８（ｂ）に示すように、広告表示情報７３０の店名７３３には「そば処「あなたのそば」」を、ＰＲ情報７３４には「おいしい蕎麦はあなたのすぐそば」を記憶している。また、広告雛型情報の業種の雛型データ７２２には、図１８（ｃ）に示すように、「うまい！」と、「思わず叫ぶうまさです。」と、店名と、ＰＲ情報と、は音声の情報であることが示されている。また、雛型データ７２２は、「うまい！」の後に「思わず叫ぶうまさです。」が配される構成は組み合わせ情報としての情報であり、雛型データ７２２には「うまい！」と「思わず叫ぶうまさです。」の間の位置に店名の音声が配され、「思わず叫ぶうまさです。」に続く位置にＰＲ情報の音声が配される、という位置に関する情報が記憶されている。広告登録サーバ３００の音声広告作成部３０２は、図１８（ｃ）に示す雛型データ７２２の店名の部分に、店名７３３に記憶された「そば処「あなたのそば」」を、ＰＲ情報の部分に、ＰＲ情報７３４に記憶された「おいしい蕎麦はあなたのすぐそば」をＴＴＳ変換により音声情報化し、この音声情報を埋め込んで広告データを作成する。
【００９８】
このように、広告主は、店名と、所在地と、ＰＲ情報と、を端末装置４０から入力し登録すると、広告登録サーバ３００は、雛型データに従った簡易な音声広告を作成して、適切な位置でナビゲーション装置１００上に表示させることができる。
【００９９】
以上、本発明の一実施形態について説明した。
【０１００】
本発明は、上記実施形態に制限されない。上記実施形態は、本発明の技術的思想の範囲内で様々な変形が可能である。
【０１０１】
例えば、上記実施形態では、第一のネットワーク５０１と、第二のネットワーク５０２と、第三のネットワーク５０３と、を全て別の独立したネットワークとしたが、これを全て一つのネットワーク、例えばインターネットに統一してもよいし、部分的に、例えば第二のネットワーク５０２と第三のネットワーク５０３を同一のネットワークとしてもよい。
【０１０２】
ほかにも、例えば、上記実施形態では、広告送信サーバ２００と、広告登録サーバ３００と、端末装置４００と、を全て別の独立した装置としたが、これに限らず、これらの機能を同一の装置上に実現してもよい。
【０１０３】
さらに、例えば、広告送信サーバ２００は、ナビゲーション装置１００により設定された経路情報を基に、必要な情報を一度に広告登録サーバ３００から取得して配信してもよい。
【０１０４】
具体的には、広告送信サーバ２００の記憶部２０６上に、記憶部２０６の記憶領域である広告情報キャッシュ領域２０７を備えておく。そして、ナビゲーション装置１００の広告情報取得部１０２は、広告配信処理のステップＳ２１０において、車両の現在位置を送信するだけでなく、経路誘導部１０６が経路誘導を行っている経路を構成する複数のリンクについてのリンクＩＤを送信する。そして、広告送信サーバ２００の要求受付部２０１は、広告配信処理のステップＳ２１１において、その経路を構成するリンクＩＤを複数受け付け、広告情報取得部２０２に引き渡す。広告情報取得部２０２は、引き渡された複数のリンクＩＤの数だけ広告登録サーバ３００に広告情報を問い合わせて取得し、これを広告情報キャッシュ領域２０７に記憶する。そして広告情報送信部２０３が、広告情報キャッシュ領域２０７の情報をナビゲーション装置１００に送信し、ナビゲーション装置１００の広告情報１０２はこれを受信して広告表示情報７３０に記憶する。
【０１０５】
なお、この変形例では、ナビゲーション装置１００の広告情報取得部１０２は、経路探索部１０４により経路が再設定されるまで広告情報を要求せず、経路が再設定されると広告情報を要求する。
【０１０６】
図１９は、広告情報キャッシュ領域２０７に記憶される広告情報キャッシュ７４０の構成を示す図である。広告情報キャッシュ７４０は、店名７４１と、ＰＲ情報７４２と、所在地７４３と、再生位置７４４と、業種７４５と、広告データ７４６と、有効日７４７と、を有して構成される。
【０１０７】
店名７４１は、広告主が広告の対象とする店名である。これは、広告対象の登記名称などでもよいし、通称や略称、あるいはその他の愛称などであってもよい。ＰＲ情報７４２は、広告主がとくにＰＲする内容を文字で表す情報である。例えば、特売情報などであってもよい。所在地７４３は、広告主が広告の対象とする店舗の所在地に関する情報である。例えば、住所などであってもよい。再生位置７４４は、そのレコードに含まれる広告情報を再生する位置を示す情報である。例えば、所在地から所定の距離にある主要な道路をあらわすリンクのリンクＩＤであってもよい。業種７４５は、広告対象の店舗が行っている業種をあらわす情報である。例えば、「そば屋」でもよいし、「飲食店」等でもよい。広告データ７４６は、ＰＲ情報７４２等を基に広告を音声化した音声データ等である。有効日７４７は、そのレコードを再生することのできる期間を示す情報である。例えば、そのレコードを再生する最終日の日付等である。
【０１０８】
このようにすることで、ナビゲーション装置１００と広告送信サーバ２００間の広告情報を取得する通信を、経路設定の時のみに限定することができる。これにより、例えば車両が通信環境の良くないエリアを走行する場合であっても、経路設定時に既にナビゲーション装置１００はその経路に沿った広告情報を得ているため、広告情報を適切な位置で表示することができるようになる。
【０１０９】
さらに、例えば、広告送信サーバ２００は、定期的に（例えば一日一回等）、広告登録サーバ３００から、広告情報記憶領域３０８に記憶された広告情報７００をコピーして取得し、上記の広告情報キャッシュ領域２０７に記憶しておくようにしてもよい。
【０１１０】
具体的には、例えば、広告送信サーバ２００は、機能部として、定期広告情報取得部２０４を新たに備え、記憶部２０６に上記の広告情報キャッシュ２０７を備え、広告登録サーバ３００は、機能部として、一括情報送信部３０５を備える。
【０１１１】
定期広告情報取得部２０４は、所定の間隔あるいは所定の時刻に、広告登録サーバ３００に対して、一括情報取得要求を送信する。
【０１１２】
そして、一括情報取得要求を受信した広告登録サーバ３００の一括情報送信部３０５は、広告情報記憶領域３０８の広告情報７００をすべて、広告送信サーバ２００へ送信する。このとき、広告情報７００のうちから、要求を受け付けた日時が有効日７０７以前のものであるデータのみを抽出して広告送信サーバ２００へ送信してもよい。定期広告情報取得部２０４は、広告送信サーバ２００から広告情報７００を受信すると、広告情報キャッシュ２０７に記憶する。
【０１１３】
次に、ナビゲーション装置１００への広告情報の配信について説明する。ナビゲーション装置１００の広告情報取得部１０２は、広告配信処理のステップＳ２１０において、車両の現在位置が存在する道路のリンクＩＤを送信する。広告送信サーバ２００の要求受付部２０１は、広告配信処理のステップＳ２１１において、受信したリンクＩＤを受け付け、広告情報取得部２０２に引き渡す。広告情報取得部２０２は、広告情報キャッシュ２０７を検索し、再生位置７４４が、引き渡されたリンクＩＤと一致する広告情報を取得し、これを広告情報送信部２０３に引き渡す。広告情報送信部２０３が、引き渡された情報をナビゲーション装置１００に対して送信し、ナビゲーション装置１００の広告情報取得部１０２がこれを受信して広告情報再生部１０３に引き渡し、広告情報再生部１０３がこれを再生する。
【０１１４】
このようにすることで、広告送信サーバ２００と広告登録サーバ３００間の通信タイミングを所定のタイミングに集中させることが可能となる。
【０１１５】
また、上記の実施形態では、広告登録処理のステップＳ１１４において、店名を基に業種を特定し、業種を基に雛型データを特定したが、これに限らず例えば、ＰＲ情報の中に含まれる特定のキーワードなどを基に業種を特定してもよい。
【０１１６】
例えば、広告登録サーバ３００の音声広告作成部３０２は、ステップＳ１１４において、ＰＲ情報７０２に含まれる「おいしい」というキーワードの有無を判定して、「飲食店」と分類し、さらに「蕎麦」というキーワードが含まれることから「そば」業種であることを特定してもよい。その場合、このようなキーワードと業種の候補は、例えば、予め広告登録サーバ３００の記憶部３０６に記憶しておき、音声広告作成部３０２はその情報を用いて業種を特定してもよい。
【０１１７】
この他にも、例えば、広告登録処理のステップＳ１１４において、ＰＲ情報の中に含まれる特定のキーワードなどを基に雛型を特定してもよい。
【０１１８】
例えば、広告登録サーバ３００の音声広告作成部３０２は、ステップＳ１１４において、ＰＲ情報７０２に含まれる「おいしい」というキーワードが存在することから、「飲食店」の雛型データを特定してもよい。その場合、このようなキーワードと雛型データの候補は、例えば、予め広告登録サーバ３００の記憶部３０６に記憶しておき、音声広告作成部３０２はその情報を用いて雛型データを特定してもよい。
【０１１９】
このようにすることで、業種などにとらわれず、広告する内容に合致する雛型データを適用することができるようになり、効果の高い広告を作成できることとなる。
【０１２０】
なお、上記の実施形態では、本発明を車載用ナビゲーション装置に適用した例について説明したが、本発明は車載用以外のナビゲーション装置にも適用することができる。
【図面の簡単な説明】
【０１２１】
【図１】図１は、本発明の一実施形態が適用されたナビゲーションシステムの概略構成図である。
【図２】図２は、ナビゲーション装置の概略構成図である。
【図３】図３は、ナビゲーション装置の記憶装置に記憶されている地図データの構成例を示す図である。
【図４】図４は、ナビゲーション装置の演算処理部の機能構成を示す図である。
【図５】図５は、ナビゲーション装置の記憶装置に記憶されている広告表示情報の構成例を示す図である。
【図６】図６は、ナビゲーション装置の演算処理部のハードウェア構成図である。
【図７】図７は、広告送信サーバの概略構成図である。
【図８】図８は、広告登録サーバの概略構成図である。
【図９】図９は、端末装置の概略構成図である。
【図１０】図１０は、広告送信サーバのハードウェア構成図である。
【図１１】図１１は、広告登録サーバのハードウェア構成図である。
【図１２】図１２は、端末装置のハードウェア構成図である。
【図１３】図１３は、広告情報の構成を示す図である。
【図１４】図１４は、業種情報の構成を示す図である。
【図１５】図１５は、広告雛型情報の構成を示す図である。
【図１６】図１６は、広告登録処理のフロー図である。
【図１７】図１７は、広告配信処理のフロー図である。
【図１８】図１８は、画面表示例と入力情報を示す図である。
【図１９】図１９は、広告情報キャッシュの構成を示す図である。
【符号の説明】
【０１２２】
１・・・演算処理部、２・・・ディスプレイ部、３・・・記憶装置、４・・・音声出入力装置、５・・・入力装置、６・・・車速センサ、７・・・ジャイロ、８・・・ＧＰＳ受信機、９・・・ＦＭ多重放送受信装置、１０・・・ビーコン受信装置、１１・・・通信装置、１２・・・ディスプレイ、１３・・・タッチ入力検出装置、１６・・・画面、２１・・・ＣＰＵ、２２・・・ＲＡＭ、２３・・・ＲＯＭ、２４・・・ＤＭＡ、２５・・・描画コントローラ、２６・・・ＶＲＡＭ、２７・・・カラーパレット、２８・・・Ａ/Ｄ変換器、２９・・・ＳＣＩ、３０・・・ＰＩＯ、３１・・・カウンター、３２・・・バス、４０・・・文字広告情報、４１・・・カーマーク、１００・・・ナビゲーション装置、１０１・・・主制御部、１０２・・・広告情報取得部、１０３・・・広告情報再生部、１０４・・・経路探索部、１０５・・・入力受付部、１０６・・・経路誘導部、１０７・・・表示処理部、２００・・・広告送信サーバ、２０１・・・要求受付部、２０２・・・広告情報取得部、２０３・・・広告情報送信部、２０６・・・記憶部、２０７・・・広告情報キャッシュ、２１１・・・処理装置、２１２・・・ＲＡＭ、２１３・・・ディスク装置、２１４・・・第一のネットワークＩＦ、２１５・・・第二のネットワークＩＦ、３００・・・広告登録サーバ、３０１・・・登録受付部、３０２・・・音声広告作成部、３０３・・・広告登録部、３０４・・・広告送信部、３０６・・・記憶部、３０７・・・企業情報記憶領域、３０８・・・広告情報記憶領域、３１１・・・処理装置、３１２・・・ＲＡＭ、３１３・・・ディスク装置、３１４・・・第一のネットワークＩＦ、３１５・・・第二のネットワークＩＦ、４００・・・端末装置、４０１・・・入出力部、４０２・・・登録情報送信部、４１１・・・処理装置、４１２・・・ＲＡＭ、４１３・・・ディスク装置、４１４・・・入力装置、４１５・・・出力装置、４１６・・・ネットワークＩＦ、５０１・・・第一のネットワーク、５０２・・・第二のネットワーク、５０３・・・第三のネットワーク、６００・・・地図データ、７００・・・広告情報、７１０・・・業種情報、７２０・・・広告雛型情報、７３０・・・広告表示情報、７４０・・・広告情報キャッシュ
【図１】
2009047793.tif 000003
【図２】
2009047793.tif 000004
【図３】
2009047793.tif 000005
【図４】
2009047793.tif 000006
【図５】
2009047793.tif 000007
【図６】
2009047793.tif 000008
【図７】
2009047793.tif 000009
【図８】
2009047793.tif 000010
【図９】
2009047793.tif 000011
【図１０】
2009047793.tif 000012
【図１１】
2009047793.tif 000013
【図１２】
2009047793.tif 000014
【図１３】
2009047793.tif 000015
【図１４】
2009047793.tif 000016
【図１５】
2009047793.tif 000017
【図１６】
2009047793.tif 000018
【図１７】
2009047793.tif 000019
【図１８】
2009047793.tif 000020
【図１９】
2009047793.tif 000021